(57)【要約】【課題】発光モジュールをベース部に固定するためのホルダであって、外部の電線の接続が容易なホルダを提供すること。【解決手段】ベース部１２の配置面１３に配置される発光モジュール２０をベース部１２に固定するためのホルダ３０であって、発光モジュール２０と電気的に接続される接触端子３５と、接触端子３５が配置された本体部３１とを備え、本体部３１は、接触端子３５と電気的に接続される外部の電線９０を収容するための電線収容部３８であって、電線９０の少なくとも一部が、ベース部１２の配置面１３に平行な平面と交差する方向となる姿勢で、電線９０が収容される電線収容部３８を有する。【選択図】図３
2016058337.tif 000002
【特許請求の範囲】
【請求項１】
ベース部の配置面に配置される発光モジュールを前記ベース部に固定するためのホルダであって、
前記発光モジュールと電気的に接続される接触端子と、
前記接触端子が配置された本体部とを備え、
前記本体部は、前記接触端子と電気的に接続される外部の電線を収容するための電線収容部であって、前記本体部に挿入された前記電線の少なくとも一部が、前記ベース部の前記配置面に平行な平面と交差する方向となる姿勢で、前記電線を収容する電線収容部を有する
ホルダ。
【請求項２】
前記電線収容部は、前記ホルダが前記ベース部に取り付けられる場合における前記ベース部側に突出した凸形状に形成されている
請求項１記載のホルダ。
【請求項３】
前記電線収容部は、前記ベース部に挿入されることで、前記ホルダの前記配置面に平行な方向の移動を規制する
請求項２記載のホルダ。
【請求項４】
前記電線収容部は、前記電線収容部の突出方向に交差する断面の外形が円形である
請求項２または３に記載のホルダ。
【請求項５】
前記電線収容部は、前記電線収容部の突出方向に交差する断面の外形が多角形である
請求項２または３に記載のホルダ。
【請求項６】
前記電線収容部は、前記ホルダが前記ベース部に取り付けられる場合における前記ベース部側に設けられ、前記電線の挿入が可能な開口部を有する
請求項１〜５のいずれか１項に記載のホルダ。
【請求項７】
前記本体部は、前記電線が挿入される挿入口を有し、
前記電線収容部は、前記挿入口から、前記接触端子が有する、前記電線と接続される部分である電線接続部までの間において、前記電線の少なくとも一部が曲げられた姿勢で前記電線を収容する
請求項１〜６のいずれか１項に記載のホルダ。
【請求項８】
ベース部と、
前記ベース部の配置面に配置される発光モジュールと、
前記発光モジュールを前記ベース部に固定するためのホルダとを備え、
前記ホルダは、
前記発光モジュールと電気的に接続される接触端子と、
前記接触端子が配置された本体部とを備え、
前記本体部は、前記接触端子と電気的に接続される外部の電線を収容するための電線収容部であって、前記本体部に挿入された前記電線の少なくとも一部が、前記ベース部の前記配置面に平行な平面と交差する方向となる姿勢で、前記電線を収容する電線収容部を有する
照明装置。
【請求項９】
前記電線収容部は、前記ベース部側に突出した凸形状に形成されており、
前記ベース部は、前記配置面に設けられ、前記電線収容部が挿入される凹部を有する
請求項８記載の照明装置。
【請求項１０】
前記照明装置は、複数の前記ホルダを備え、
前記発光モジュールは、複数の前記ホルダによって、前記ベース部に固定されている
請求項８または９に記載の照明装置。
【発明の詳細な説明】
【技術分野】
【０００１】
本発明は、発光モジュールをベース部に固定するためのホルダおよび当該ホルダを備える照明装置に関する。
【背景技術】
【０００２】
近年、省エネルギーの観点からＬＥＤ（Ｌｉｇｈｔ  Ｅｍｉｔｔｉｎｇ  Ｄｉｏｄｅ）照明が急速に普及している。ＬＥＤ照明は、例えば、基板に配置された複数のＬＥＤを有するＬＥＤモジュールが、ＬＥＤ照明のベース部（例えば、器具本体）に取り付けられることで構成される。
【先行技術文献】
【特許文献】
【０００３】
【特許文献１】米国特許出願公開第２０１２／０２３６５３２号明細書
【発明の概要】
【発明が解決しようとする課題】
【０００４】
ＬＥＤモジュールをベース部に取り付ける際、ＬＥＤモジュールは放熱させる必要がある。そのため、ＬＥＤモジュールとベース部とを機械的および熱的に接続する必要がある。
【０００５】
そこで、上記の機能を有し、かつ、外部の電線を接続可能なホルダも存在する。つまり、ＬＥＤモジュールへの発光のための電力の供給を、ホルダを介して行うＬＥＤ照明も存在する。
【０００６】
このようなホルダは、例えばＬＥＤモジュールからの配光に陰を作らないように、または、他の部材と干渉しないように小型または薄型であることが好ましい。しかしながら、その一方で、ホルダには外部の電線との接続のためのスペースが必要であり、かつ、組立作業の効率性を考慮すると、外部の電線の接続を容易に行わせるための構造が必要である。
【０００７】
本発明は、上記従来の課題を考慮し、発光モジュールをベース部に固定するためのホルダであって、外部の電線の接続が容易なホルダ、および、当該ホルダを備える照明装置を提供することを目的とする。
【課題を解決するための手段】
【０００８】
本発明の一態様に係るホルダは、ベース部の配置面に配置される発光モジュールを前記ベース部に固定するためのホルダであって、前記発光モジュールと電気的に接続される接触端子と、前記接触端子が配置された本体部とを備え、前記本体部は、前記接触端子と電気的に接続される外部の電線を収容するための電線収容部であって、前記本体部に挿入された前記電線の少なくとも一部が、前記ベース部の前記配置面に平行な平面と交差する方向となる姿勢で、前記電線を収容する電線収容部を有する。
【０００９】
本発明の一態様に係る照明装置は、ベース部と、前記ベース部の配置面に配置される発光モジュールと、前記発光モジュールを前記ベース部に固定するためのホルダとを備え、前記ホルダは、前記発光モジュールと電気的に接続される接触端子と、前記接触端子が配置された本体部とを備え、前記本体部は、前記接触端子と電気的に接続される外部の電線を収容するための電線収容部であって、前記本体部に挿入された前記電線の少なくとも一部が、前記ベース部の前記配置面に平行な平面と交差する方向となる姿勢で、前記電線を収容する電線収容部を有する。
【発明の効果】
【００１０】
本発明の一態様に係るホルダによれば、発光モジュールをベース部に固定することができ、かつ、外部の電線の接続が容易である。
【００１１】
また、本発明の一態様に係る照明装置によれば、発光モジュールをベース部に固定するためのホルダへの外部の電線の接続が容易である。
【図面の簡単な説明】
【００１２】
【図１】実施の形態に係る照明装置の基本的な構造を示す斜視図である。
【図２】図１に対応する分解斜視図である。
【図３】実施の形態に係るホルダの内部の概要を示す側面図である。
【図４】実施の形態に係る接触端子の外観を示す斜視図である。
【図５】実施の形態に係るホルダの内部の概要を示す断面図である。
【図６】実施の形態の変形例１に係るホルダの外観を示す斜視図である。
【図７】実施の形態の変形例２に係るホルダの断面図である。
【図８】実施の形態の変形例３に係るホルダの断面図である。
【図９】実施の形態の変形例４に係るホルダの断面図である。
【発明を実施するための形態】
【００１３】
以下、実施の形態に係る照明装置について、図面を参照しながら説明する。なお、以下に説明する実施の形態は、本発明の一具体例を示すものである。したがって、以下の各実施の形態で示される、数値、形状、材料、構成要素、構成要素の配置位置および接続形態などは、一例であって本発明を限定する主旨ではない。よって、以下の実施の形態における構成要素のうち、本発明の最上位概念を示す独立請求項に記載されていない構成要素については、任意の構成要素として説明される。
【００１４】
なお、各図は模式図であり、必ずしも厳密に図示されたものではない。また、各図において、実質的に同一の構成に対しては同一の符号を付し、重複する説明は省略または簡略化される場合がある。
【００１５】
以下、実施の形態に係る照明装置について各図を参照しながら説明する。
【００１６】
（実施の形態）
まず、図１および図２を用いて、実施の形態に係る照明装置の構成の概要について説明する。
【００１７】
図１は、実施の形態１に係る照明装置１０の基本的な構造を示す斜視図である。
【００１８】
図２は、図１に対応する分解斜視図である。
【００１９】
図１および図２に示すように、実施の形態１に係る照明装置１０は、ベース部１２と、ベース部１２の配置面１３に配置される発光モジュール２０と、発光モジュール２０をベース部１２に固定するためのホルダ３０とを備える。
【００２０】
なお、照明装置１０は、図１および図２に図示する部材の他に、発光モジュール２０を覆うように配置される透光性のカバーなどの他の部材を備えてもよい。しかし、本実施の形態に係る照明装置１０の特徴を明確に説明するために、これら他の部材の図示および説明は省略する。
【００２１】
また、本実施の形態では、ベース部１２に、１つの発光モジュール２０が配置されているが、発光モジュール２０の個数に限定はなく、ベース部１２に複数の発光モジュール２０が並んで配置されてもよい。
【００２２】
本実施の形態に係る照明装置１０は、例えば、発光モジュール２０を下に向けた状態で天井に埋設される、いわゆるダウンライトとして用いられる照明装置である。照明装置１０を使用する際の姿勢に特に限定はないが、本実施の形態では、発光モジュール２０が上向き（Ｚ軸正の向き）の状態で照明装置１０を図示し、その説明を行う。
【００２３】
発光モジュール２０は、基板２２と基板２２の主面２２ａに配置された発光部２１とを有する。基板２２は、本実施の形態では矩形の平板状の基板である。基板２２は、熱伝導性が高い材料で構成することが好ましく、例えば、アルミナからなるアルミナ基板により構成される。
【００２４】
なお、基板２２としては、アルミナ基板以外に、窒化アルミニウム等のその他のセラミック基板、アルミニウム、銅等の金属基板、樹脂基板、あるいは、金属と樹脂との積層構造を有するようなメタルベース基板等、各種の基板を採用することができる。
【００２５】
基板２２の主面２２ａに配置された発光部２１は、前方に光を発する１以上の発光素子を有する。
【００２６】
本実施の形態では、発光部２１は、基板２２に実装された１以上のＬＥＤチップ２１ａと、封止部材とを備えている。ＬＥＤチップ２１ａは、基板２２の主面２２ａ上にダイボンディング等によって実装される。
【００２７】
また、本実施の形態では、封止部材は、マトリックス状に配置された複数のＬＥＤチップ２１ａを一括して封止している。
【００２８】
なお、ＬＥＤチップ２１ａとしては、例えば、中心波長が４４０ｎｍ〜４７０ｎｍの青色光を発光する青色ＬＥＤチップが用いられる。
【００２９】
また、封止部材としては、ＬＥＤチップ２１ａを封止してＬＥＤチップ２１ａを保護するとともに、ＬＥＤチップ２１ａからの光を波長変換する蛍光体を含む樹脂である蛍光体含有樹脂が例示される。
【００３０】
具体的には、封止部材として、例えば、ＬＥＤチップ２１ａが青色ＬＥＤである場合、白色光を得るために、ＹＡＧ（イットリウム・アルミニウム・ガーネット）系の黄色蛍光体粒子をシリコーン樹脂に分散させた蛍光体含有樹脂を用いることができる。これにより、発光部２１（封止部材）からは、蛍光体粒子によって波長変換された黄色光とＬＥＤチップ２１ａからの青色光とによって白色光が放出される。
【００３１】
また、発光部２１の外径は、例えば５ｍｍ〜５０ｍｍであり、照明装置１０が２０Ｗ型のＬＥＤランプの場合には、発光部２１の外径は、例えば１５ｍｍである。
【００３２】
なお、本実施の形態では、丸型の発光部２１を例示したが、発光部２１の全体形状は丸型のものに限定されない。例えば、発光部２１の全体形状として角型が採用されてもよい。
【００３３】
また、封止部材による複数のＬＥＤチップ２１ａの封止の態様に特に限定はない。例えば、複数のＬＥＤチップ２１ａを個別に封止してもよく、複数のＬＥＤチップ２１ａをラインごとに封止してもよい。
【００３４】
また、ＬＥＤチップ２１ａからの光の波長変換の必要がない場合などにおいて、基板２２に配置された１以上のＬＥＤチップ２１ａが封止部材によって封止されていなくてもよい。
【００３５】
また、基板２２の主面２２ａには、一対の電極２４が配置されている。これら電極２４に接続された配線パターン（図示せず）を介して、発光部２１が有する複数のＬＥＤチップ２１ａのそれぞれに、発光するための電力が供給される。
【００３６】
上記のように光源としてＬＥＤチップ２１ａを有する発光モジュール２０は、ベース部１２に固定される。
【００３７】
ベース部１２は、本実施の形態では金属製の円柱台であり、配置面１３に、発光モジュール２０が面接触して配置されることで、発光モジュール２０で発生する熱を効率よく放出することができる。つまり、ベース部１２は、発光モジュール２０の熱を拡散させるヒートシンクとして機能する部材である。
【００３８】
なお、ベース部１２の形状は円柱台に限定されず、例えば直方体であってもよい。また、ベース部１２は、例えば、発光モジュール２０が配置される領域を囲む壁部を有してもよい。
【００３９】
発光モジュール２０は、ホルダ３０によってベース部１２に固定される。本実施の形態では、矩形の発光モジュール２０の対角線上の２箇所を押さえるように、２つのホルダ３０が配置されている。
【００４０】
２つのホルダ３０は、本実施の形態では同一の部品であり、例えば、図１において右側のホルダ３０と、左側のホルダ３０とを交換して配置することも可能である。つまり、以下で説明するホルダ３０についての特徴は、照明装置１０が備える２つのホルダ３０のいずれにも適用される。
【００４１】
ホルダ３０は、発光モジュール２０と電気的に接続される接触端子３５と、接触端子３５が配置された本体部３１とを備える。
【００４２】
本体部３１は、接触端子３５と電気的に接続される外部の電線９０を収容するための電線収容部３８であって、本体部３１に挿入された電線９０の少なくとも一部が、ベース部１２の配置面１３に平行な平面と交差する方向となる姿勢で、電線９０が収容される電線収容部３８を有する。
【００４３】
なお、電線９０は、例えば天井の裏側に配置された点灯装置と接続されており、例えばベース部１２に設けられた孔（図示せず）、または、天井のベース部１２の埋設位置の近傍の孔を介して、ベース部１２の配置面１３側に引き出されている。点灯装置は、例えば商用電源を、発光モジュール２０の発光に適した特性の電力に変換する装置である。
【００４４】
本体部３１は、例えばＰＢＴ（ポリブチレンテレフタレート）などの絶縁性を有する合成樹脂を成型することで作製される。
【００４５】
本体部３１には、図２に示すように、ネジ８０を貫通させるネジ取付部３３が設けられている。ベース部１２の配置面１３には、ネジ８０がねじ入れられるネジ穴１５が設けられている。
【００４６】
ホルダ３０は、ベース部１２の配置面１３に面接触した状態の発光モジュール２０の上からベース部１２に取り付けられる。具体的には、ホルダ３０は、接触端子３５が発光モジュール２０の電極２４に接触した状態で、ネジ取付部３３を貫通したネジ８０によってベース部１２に固定される。
【００４７】
これにより、発光モジュール２０とベース部１２とが固定され、これにより、発光モジュール２０とベース部１２とが機械的および熱的に接続される。より詳細には、接触端子３５が電極２４に押し当てられた状態となり、これにより、ホルダ３０と発光モジュール２０とが電気的に接続される。
【００４８】
なお、本実施の形態では、一対のホルダ３０が、発光モジュール２０をベース部１２側に押圧する状態になることで、発光モジュール２０がベース部１２に固定される。
【００４９】
本実施の形態に係るホルダ３０は、このように、発光モジュール２０と電気的に接続された状態で発光モジュール２０をベース部１２に固定することができる。
【００５０】
ホルダ３０はさらに、外部の電線９０を収容する電線収容部３８を有し、電線収容部３８に収容された電線９０から供給される電力を、接触端子３５を介して発光モジュール２０に供給することができる。
【００５１】
具体的には、ホルダ３０の本体部３１は、電線９０が挿入される挿入口３２を有する。本実施の形態では、本体部３１の、ベース部１２とは反対側の面に挿入口３２が設けられている。つまり、本実施の形態に係るホルダ３０では、図１および図２に示されるように、電線９０を、ホルダ３０に対して（ベース部１２の配置面１３に対して）縦に挿入することができ、挿入された電線９０は、電線収容部３８に収容される。
【００５２】
なお、電線９０を収容（挿入）する、という場合、電線９０の、端部を含む一部が収容（挿入）されることを意味する。
【００５３】
また、ベース部１２には、ホルダ３０の電線収容部３８が挿入される凹部１４が設けられている。
【００５４】
ここで、ホルダ等の保持部材によって発光モジュールをベース部に固定するタイプの従来の照明装置では、保持部材を介して発光モジュールに電力を供給する場合、保持部材に対して側方から外部の電線が差し込まれる。
【００５５】
つまり、保持部材には、ベース部における発光モジュールが配置される面に平行な方向に電線が挿入され、保持部材では、挿入された電線が当該面に平行な方向に収容される。この場合、電線の保持部材に挿入された部分の長さが、保持部材の厚み（発光モジュールが配置される面からの高さ）に与える影響が抑制される一方で、組み立ての困難性が生じる。
【００５６】
具体的には、ベース部の発光モジュールの配置位置の近傍に、発光モジュールを囲むように設けられた壁部、または、他の発光モジュールなどの他の部材がある場合、保持部材に電線が挿入し難いという問題が生じる。つまり、平面視における保持部材の周囲に、電線を指で掴んで保持部材に挿入することが可能な空間が存在する必要がある。
【００５７】
また、予め保持部材に電線を挿入した状態で、発光モジュールをベース部に固定する場合は、例えば電線の柔軟性が低いことに起因し、電線が保持部材から外れやすい、または、保持部材のベース部に対する位置合わせが困難である等の問題が生じ得る。
【００５８】
さらに、柔軟性が低い電線に、過大な応力を生じさせずに（電線を屈曲させずに）配線できるように、平面視における保持部材の周囲に電線の通る空間を設ける必要もある。
【００５９】
そこで、本実施の形態に係る照明装置１０が備えるホルダ３０では、電線９０の少なくとも一部が、配置面１３に平行な平面と交差する方向となる姿勢で、電線９０を収容する構造が採用されている。これにより、ホルダ３０への電線９０の挿入を容易にしつつ、ホルダ３０の小型化または薄型化を可能としている。
【００６０】
上記特徴を有するホルダ３０について、図３〜図５を用いて説明する。
【００６１】
図３は、実施の形態に係るホルダ３０の内部の概要を示す側面図である。
【００６２】
図４は、実施の形態に係る接触端子３５の外観を示す斜視図である。
【００６３】
図５は、実施の形態に係るホルダ３０の内部の概要を示す断面図である。
【００６４】
なお、図３では、図１における右側のホルダ３０の、接触端子３５より左側の位置を通るＸＺ平面で切断した場合の側面を図示している。また、ベース部１２については、構造上の特徴が分かり易いように、電線収容部３８が挿入される凹部１４の位置でのＸＺ平面における断面を図示している。さらに、発光モジュール２０については側面図で表されている。
【００６５】
また、図５では、ホルダ３０およびベース部１２の、電線収容部３８を通るＸＺ平面における断面を図示している。
【００６６】
図３および図５に示すように、発光モジュール２０は、ベース部１２の配置面１３に配置される。具体的には、発光モジュール２０は、基板２２の裏面２２ｂがベース部１２の配置面１３に面接触して配置される。ホルダ３０は、このように配置される発光モジュール２０をベース部１２に固定する。
【００６７】
また、ホルダ３０が有する電線収容部３８には、本体部３１に挿入された電線９０の少なくとも一部が、ベース部１２の配置面１３に平行な平面（本実施の形態ではＸＹ平面）と交差する方向となる姿勢で、電線９０が収容される。
【００６８】
具体的には、本実施の形態では、本体部３１に挿入された電線９０の全体が、配置面１３に平行な平面と直交（略直交も含む）する姿勢で、電線９０が電線収容部３８に収容されている。
【００６９】
このような姿勢で電線収容部３８に収容された電線９０は、本体部３１に配置された接触端子３５に接続される。
【００７０】
具体的には、図４に示すように、接触端子３５は、接点部３６と電線接続部３７とを有する。接点部３６は、発光モジュール２０の電極２４と接触する部分である。発光モジュール２０が、ホルダ３０によってベース部１２に固定された場合、接触端子３５が有する弾性力によって、接点部３６が発光モジュール２０の電極２４に押し当てられる。
【００７１】
また、電線接続部３７は、電線９０と接続する部分である。具体的には、電線接続部３７は、接触端子３５の一部であって、電線９０の絶縁被覆のない端部（芯線部９０ａ）が差し込まれた場合に、容易には抜け出せないように形成された部分である。例えば、金属板の成型品である電線接続部３７の一部を切り起すことで、電線接続部３７が形成される。なお、芯線部９０ａは、例えば、電線９０の端部の絶縁被覆を８ｍｍ〜１０ｍｍ程度除去することで設けられる。
【００７２】
このように、接触端子３５に機械的および電気的に接続された電線９０は、本実施の形態では、図５に示すように、まっすぐな姿勢で電線収容部３８に収容される。
【００７３】
電線収容部３８は、このような姿勢で電線９０を収容するために、本体部３１からベース部１２側に突出した凸形状に形成されている。これに対応し、図３および図５に示されるように、ベース部１２は、電線収容部３８が挿入される凹部１４を有する。
【００７４】
このように、本実施の形態に係る照明装置１０は、ベース部１２の配置面１３に配置される発光モジュール２０をベース部１２に固定するためのホルダ３０を備える。
【００７５】
ホルダ３０は、発光モジュール２０と電気的に接続される接触端子３５と、接触端子３５が配置された本体部３１とを備える。本体部３１は、接触端子３５と電気的に接続される外部の電線９０を収容するための電線収容部３８を有する。
【００７６】
電線収容部３８には、本体部３１に挿入された電線９０の少なくとも一部がベース部１２の配置面１３に平行な平面と交差する方向となる姿勢で、電線９０が収容される。
【００７７】
本実施の形態に係るホルダ３０は上記構成を有することで、ホルダ３０のベース部１２への取り付け後の、電線９０のホルダ３０への挿入が容易化される。
【００７８】
例えば、平面視におけるホルダ３０の周囲に、ホルダ３０が固定する発光モジュール２０以外の部材（他の部材）が存在する場合であっても、当該他の部材の存在に邪魔されずに、電線９０をホルダ３０に容易に挿入することができる。
【００７９】
また、電線９０をホルダ３０に挿入する際の力は、ホルダ３０に対し、ホルダ３０をベース部１２に押し当てる向きに働く。そのため、例えば、電線９０を容易かつ安定した状態でホルダに挿入することができる。
【００８０】
また、電線９０を配線するための空間を、平面視におけるホルダ３０の周囲に設ける必要がないため、例えば、平面視におけるベース部１２のサイズを小さくすることが可能である。また、例えば、反射板等の他の部材を、発光モジュール２０およびホルダ３０の近傍に配置することも可能である。
【００８１】
また、電線９０のホルダ３０に挿入される長さが、平面視におけるホルダ３０のサイズに与える影響が抑制されるため、平面視におけるホルダ３０のサイズを比較的に小さくできる。
【００８２】
さらに、本実施の形態では、電線収容部３８は、ホルダ３０がベース部１２に取り付けられる場合におけるベース部１２側に突出した凸形状に形成されている。また、ベース部１２は、配置面１３に設けられ、電線収容部３８が挿入される凹部１４を有する。より詳細には、電線収容部３８の本体部３１から突出した部分が、ベース部１２の凹部１４に挿入される。
【００８３】
そのため、電線９０のホルダ３０に挿入される長さが、ホルダ３０の厚み（ベース部１２にホルダ３０を取り付けた場合における配置面１３からの高さ）に与える影響も抑制される。これにより、ホルダ３０を比較的に薄く形成することが可能である。
【００８４】
従って、発光モジュール２０から放出される光をホルダ３０が遮断する量が抑制される。つまり、照明装置１０は、発光モジュール２０からの照明光を効率よく外部に放出することができる。
【００８５】
このように、本実施の形態に係るホルダ３０は、発光モジュール２０をベース部１２に固定するためのホルダ３０であって、外部の電線９０の接続が容易なホルダ３０である。
【００８６】
また、本実施の形態に係る照明装置１０は、発光モジュール２０をベース部１２に固定するためのホルダ３０への外部の電線の接続が容易である。
【００８７】
これらの特徴は、本実施の形態のように、１つの発光モジュール２０を複数のホルダ３０で固定する照明装置１０おいて、例えば、照明装置１０の組立作業の効率の向上という観点から有益である。
【００８８】
また、電線収容部３８は、ベース部１２に挿入されることで、ホルダ３０の配置面１３に平行な方向の移動を規制することができる。
【００８９】
つまり、電線収容部３８が、ホルダ３０のベース部１２に対する位置決めの役割を果たすため、照明装置１０の組立作業を効率よく進めることができる。
【００９０】
また、電線収容部３８は、電線収容部３８の突出方向（本実施の形態ではＺ軸方向）に交差する断面の外形が円形である。そのため、例えば、ベース部１２に、電線収容部３８に対応した形状の凹部１４を設けることが容易である。
【００９１】
また、配置面１３において、１つの凹部１４に対応して複数のネジ穴１５を設けた場合、ホルダ３０の配置面１３上における回転位置を変更することも可能である。
【００９２】
また、本実施の形態に係るホルダ３０は、図１等に示されるように、発光モジュール２０の角部の位置で発光モジュール２０を固定するように配置される。そのため、接触端子３５と電極２４との導通に問題が生じなければ、固定すべき発光モジュール２０のサイズが変更された場合であっても、変更後のサイズの発光モジュール２０を固定するための部材としてホルダ３０を用いることができる。
【００９３】
つまり、１種類のホルダ３０を複数用意しておくことで、発光モジュール２０のサイズが互いに異なる複数の照明装置１０のそれぞれを組み立てることが可能である。
【００９４】
また、実施の形態に係るホルダ３０の構造は、図１〜図５によって示される構造以外であってもよい。そこで、ホルダ３０についての各種の変形例を、実施の形態との差分を中心に、図６〜図９を用いて説明する。
【００９５】
なお、以下で説明する各変形例に係るホルダは、実施の形態に係る照明装置１０が、発光モジュール２０をベース部１２に固定する部材として採用可能なホルダである。
【００９６】
（変形例１）
図６は、実施の形態の変形例１に係るホルダ３０ａの外観を示す斜視図である。
【００９７】
図６に示すホルダ３０ａは、本体部３１に設けられた電線収容部３８ａを有する。電線収容部３８ａは、本体部３１に挿入された電線９０の少なくとも一部が、ベース部１２の配置面１３に平行な平面と交差する方向となる姿勢で、電線９０が収容される。そのため、本変形例に係るホルダ３０ａは、電線９０の挿入が容易である。
【００９８】
また、本変形例に係る電線収容部３８ａは、電線収容部３８ａの突出方向（本変形例ではＺ軸方向）に交差する断面の外形が多角形である点に特徴を有する。
【００９９】
さらに、本変形例では、ベース部１２の配置面１３には、図６に示すように、電線収容部３８ａの外形に対応した断面形状（多角形）の凹部１４ａが形成されている。
【０１００】
つまり、本変形例では、ホルダ３０ａの電線収容部３８ａが、ベース部１２の凹部１４ａに挿入された場合、電線収容部３８ａは凹部１４ａ内において実質的に回転が不可能となる。これにより、ホルダ３０ａの配置面１３上における回転位置が規制される。
【０１０１】
そのため、例えば、ホルダ３０ａをベース部１２にネジ８０で取り付ける場合に、ホルダ３０ａのネジ取付部３３と、ベース部１２のネジ穴１５との位置合わせが容易である。
【０１０２】
これにより、１つの発光モジュール２０を複数のホルダ３０ａで固定する場合における、照明装置１０の組立作業の効率が向上する。
【０１０３】
（変形例２）
図７は、実施の形態の変形例２に係るホルダ３０ｂの断面図である。
【０１０４】
図７は、具体的には、上述の図５と同様に、ホルダ３０ｂおよびベース部１２の、電線収容部３８ｂを通るＸＺ平面における断面を図示している。
【０１０５】
図７に示すホルダ３０ｂは、本体部３１に設けられた電線収容部３８ｂを有する。電線収容部３８ｂには、本体部３１に挿入された電線９０の少なくとも一部が、ベース部１２の配置面１３に平行な平面と交差する方向となる姿勢で、電線９０が収容される。そのため、本変形例に係るホルダ３０ｂは、外部の電線９０の接続が容易である。
【０１０６】
また、電線収容部３８ｂは、ホルダ３０ｂがベース部１２に取り付けられる場合におけるベース部１２側に設けられ、電線９０の挿入が可能な開口部３９を有する点に特徴を有する。
【０１０７】
さらに、本変形例では、ホルダ３０ｂが取り付けられるベース部１２の凹部１４には、図７に示すように、ベース部１２の、配置面１３とは反対側の面から電線９０が挿入される貫通孔１４ｂが形成されている。
【０１０８】
つまり、本変形例では、ホルダ３０ｂの電線収容部３８ｂに対し、本体部３１とは反対側から電線９０が挿入され、挿入された電線９０は、接触端子３５に接続される。
【０１０９】
例えば、凹部１４から、配置面１３側に電線９０の端部が引き出された状態で、電線９０の当該端部を開口部３９から電線収容部３８ｂの内部に挿入する。この状態で、ホルダ３０ｂをベース部１２の配置面１３に押し当て、ネジ８０でベース部１２に取り付ける。この作業では、電線９０の挿入方向とは逆にホルダ３０ｂを移動させることになるため、ホルダ３０ｂからの電線９０の抜け落ちが抑制される。
【０１１０】
つまり、本変形例に係るホルダ３０ｂでは、ベース部１２への取り付けの前に電線９０が挿入された場合であっても、ベース部１２への取り付けの際における電線９０の抜け落ち等の問題が生じない。
【０１１１】
従って、本変形例に係るホルダ３０ｂは、発光モジュール２０をベース部１２に固定するためのホルダ３０ｂであって、外部の電線９０の接続が容易なホルダ３０ｂである。
【０１１２】
また、電線９０を、ベース部１２の配置面１３側に配線することなく、発光モジュール２０への電力の供給を、電線９０を介して行うことができる。
【０１１３】
これにより、例えば、発光モジュール２０から放出される照明光に対して電線９０が与える影響を排除することができる。そのため、例えば、ベース部１２の配置面１３に、複数の発光モジュール２０を並べて配置する場合において、発光モジュール２０の配置レイアウトの自由度が向上する。
【０１１４】
（変形例３）
図８は、実施の形態の変形例３に係るホルダ３０ｃの断面図である。
【０１１５】
図８は、具体的には、ホルダ３０ｃの、電線収容部３８ｃを通るＹＺ平面における断面を図示している。
【０１１６】
図８に示すホルダ３０ｃは、本体部３１に設けられた電線収容部３８ｃを有する。電線収容部３８ｃは、上記実施の形態に係る電線収容部３８とは異なり、本体部３１から突出しておらず、本体部３１の内部のみに形成されている。
【０１１７】
このような態様の電線収容部３８ｃは、挿入口３２から、接触端子３５が有する、電線９０と接続される部分である電線接続部３７ａまでの間において、電線９０の少なくとも一部が曲げられた姿勢で電線９０を収容する点に特徴を有する。
【０１１８】
つまり、本変形例に係る電線収容部３８ｃは、本体部３１に挿入された電線９０の一部が、ベース部１２の配置面１３に平行な平面と交差する方向となる姿勢で、電線９０を収容することで、ホルダ３０ｃに対す電線９０の挿入の容易さを確保している。
【０１１９】
また、電線収容部３８ｃは、電線９０の少なくとも一部が曲げられた姿勢で電線９０を収容することで、本体部３１に挿入された電線９０の長さが、ホルダ３０ｃのサイズに与える影響を抑制することができる。
【０１２０】
このように、本変形例に係るホルダ３０ｃは、外部の電線９０の接続が容易である。
【０１２１】
また、電線収容部３８ｃが本体部３１から突出していないことにより、例えば、凹部１４を有しない既存のベース部に、ホルダ３０ｃを用いて発光モジュール２０を固定することも可能である。
【０１２２】
（変形例４）
図９は、実施の形態の変形例４に係るホルダ３０ｄの断面図である。
【０１２３】
図９は、具体的には、ホルダ３０ｄの、電線収容部３８ｄを通るＹＺ平面における断面を図示している。
【０１２４】
図９に示すホルダ３０ｄは、本体部３１に設けられた電線収容部３８ｄを有する。電線収容部３８ｄは、上記変形例３に係る電線収容部３８ｃと同じく、本体部３１から突出しておらず、本体部３１の内部のみに形成されている。
【０１２５】
本変形例に係る電線収容部３８ｄは、本体部３１の側面に形成された挿入口３２から、電線接続部３７ａまでの間において、電線９０の少なくとも一部が曲げられた姿勢で電線９０を収容する点に特徴を有する。
【０１２６】
つまり、本変形例に係る電線収容部３８ｄは、本体部３１に挿入された電線９０の一部が、ベース部１２の配置面１３に平行な平面と交差する方向となる姿勢で、電線９０を収容することで、ホルダ３０ｄに対する電線９０の挿入の容易さを確保している。
【０１２７】
より詳細には、本変形例に係るホルダ３０ｄには、図９において、配置面１３に対する斜め上の方向から電線９０が挿入される。つまり、ホルダ３０ｄに対して配置面１３に平行な方向に電線９０を挿入する場合と比較すると、例えば、ホルダ３０ｄの周囲に配置された他の部材によって電線９０の挿入が困難となる可能性が低減される。
【０１２８】
また、電線収容部３８ｄは、電線９０の少なくとも一部が曲げられた姿勢で電線９０を収容することで、本体部３１に挿入された電線９０の長さが、ホルダ３０ｄのサイズに与える影響を抑制することができる。
【０１２９】
このように、本変形例に係るホルダ３０ｄは、外部の電線９０の接続が容易である。
【０１３０】
また、電線収容部３８ｄが本体部３１から突出していないことにより、例えば、凹部１４を有しない既存のベース部に、ホルダ３０ｄを用いて発光モジュール２０を固定することも可能である。
【０１３１】
（その他の実施の形態）
以上、本発明に係る照明装置について、上記実施の形態およびその変形例に基づいて説明したが、本発明は、これら実施の形態等に限定されるものではない。
【０１３２】
例えば、上記実施の形態では、２つのホルダ３０によって発光モジュール２０がベース部１２に固定されている。しかし、発光モジュール２０のベース部１２への固定に用いるホルダ３０の数に特に限定はない。
【０１３３】
例えば、比較的に小さなサイズの発光モジュール２０をベース部１２に固定する場合、ホルダ３０の数は１つであってもよい。この場合、ホルダ３０に電気的に接続されない電極２４（例えば図２参照）は、ホルダ３０とは異なる部材から電力の供給を受けてもよい。また、この場合、当該部材とホルダ３０とで、発光モジュール２０をベース部１２に安定的に固定するための固定力を得てもよい。
【０１３４】
また、例えば、比較的にサイズまたは重量が大きな発光モジュール２０をベース部１２に固定する場合、３以上のホルダ３０が用いられてもよい。例えば、平面視において矩形の発光モジュール２０の４つの角部のそれぞれに、ホルダ３０が配置されてもよい。この場合、電極２４に電気的に接続されない少なくとも２つのホルダ３０のそれぞれは、発光モジュール２０への電力供給の役目を担わず、発光モジュール２０の固定のみを目的として用いられてもよい。
【０１３５】
また、例えば、上記変形例２に係る電線収容部３８ｂは、ベース部１２側に設けられ、電線９０の挿入が可能な開口部３９を有し、かつ、開口部３９から、電線接続部３７までの間において、電線９０の少なくとも一部が曲げられた姿勢で電線９０を収容してもよい。
【０１３６】
また、電線収容部３８ｂは、例えば、本体部３１の、ベース部１２とは反対側の面に設けられた挿入口３２と接続されていてもよい。つまり、電線収容部３８ｂは、２方向のそれぞれから挿入される電線９０を収容可能であってもよい。この場合、接触端子３５の電線接続部３７は、これら２方向のそれぞれから差し込まれる電線９０と接続可能な形状に形成されていればよい。
【０１３７】
また、発光モジュール２０が有する発光部２１は、基板２２の主面２２ａ上に実装された１以上のＬＥＤチップを有するとした。しかし、発光部２１は、ＬＥＤチップに換えて、表面実装型（ＳＭＤ：Ｓｕｒｆａｃｅ  Ｍｏｕｎｔ  Ｄｅｖｉｃｅ）ＬＥＤを有してもよい。ＳＭＤ型ＬＥＤは、樹脂成型されたキャビティの中にＬＥＤチップを実装して当該キャビティ内に蛍光体含有樹脂を配置したパッケージ型のＬＥＤ素子である。
【０１３８】
また、発光モジュール２０が光源として採用とする発光素子はＬＥＤに限定されず、半導体レーザ等の半導体発光素子、有機ＥＬ（Ｅｌｅｃｔｒｏ  Ｌｕｍｉｎｅｓｃｅｎｃｅ）または無機ＥＬ等の発光素子が採用されてもよい。
【０１３９】
さらに、発光モジュール２０が光源として採用とする発光素子は、半導体発光素子でなくてもよく、例えば、蛍光管が採用されてもよい。
【０１４０】
その他、上記実施の形態および変形例に対して当業者が思いつく各種変形を施して得られる形態、および、本発明の趣旨を逸脱しない範囲で上記実施の形態および変形例における構成要素および機能を任意に組み合わせることで実現される形態も本発明に含まれる。
【符号の説明】
【０１４１】
１０  照明装置
１２  ベース部
１３  配置面
１４、１４ａ  凹部
２０  発光モジュール
３０、３０ａ、３０ｂ、３０ｃ、３０ｄ  ホルダ
３１  本体部
３２  挿入口
３５  接触端子
３７、３７ａ  電線接続部
３８、３８ａ、３８ｂ、３８ｃ、３８ｄ  電線収容部
９０  電線
【図１】
2016058337.tif 000003
【図２】
2016058337.tif 000004
【図３】
2016058337.tif 000005
【図４】
2016058337.tif 000006
【図５】
2016058337.tif 000007
【図６】
2016058337.tif 000008
【図７】
2016058337.tif 000009
【図８】
2016058337.tif 000010
【図９】
2016058337.tif 000011